(57)【特許請求の範囲】
【請求項１】
キャビネット本体の収納空間内における空気を循環させる送風機と、
該送風機から送風される空気を加熱するヒータと、
加熱乾燥スイッチと、
前記送風機及び前記ヒータの制御する制御部と、
を備え、
前記制御部は、該加熱乾燥スイッチの操作による運転開始指令を受付けるまでは、前記送風機のみを間欠的に駆動させる換気運転モードを実行保持し、
前記制御部が該加熱乾燥スイッチの操作による運転開始指令を受付けたとき、前記制御部は前記ヒータ及び前記送風機を所定時間連続して駆動させて、前記収納空間内に加熱された空気を循環させる加熱乾燥運転モードを実行した後に、前記換気運転モードに遷移させることを特徴とするキッチン用キャビネット。
【請求項２】
請求項１において、
前記制御手段は、電源投入を検出した後は、前記換気運転モードを実行保持することを特徴とするキッチン用キャビネット。
【請求項３】
請求項１において、
前記キャビネット本体に対して変位することで前記収納空間を開閉する引き出しを備え、
前記制御手段は、電源投入後、前記引き出しにより前記収納空間が開かれ、その後の所定時間内に前記引き出しにより前記収納空間が閉じられたことを検出したときに、前記換気運転モードを実行保持することを特徴とするキッチン用キャビネット。
【請求項４】
請求項１乃至３のいずれかにおいて、
前記制御部は、前記加熱乾燥運転モードの実行を終了した直後、前記換気運転モードの実行に遷移するまでの間に、前記換気運転モードにおける間欠周期毎の前記送風機の駆動時間を長くするか、休止時間を短くするか、の少なくともいずれかの一方で特定される送風乾燥運転モードを実行することを特徴とするキッチン用キャビネット。
【請求項５】
請求項１乃至４のいずれかにおいて、
前記加熱乾燥運転モードは、前記ヒータ及び前記送風機の駆動時間を制御要素として運転モードが特定され、且つ前記換気運転モードは、前記送風機の駆動時間と休止時間を制御要素として運転モードが特定されており、これらの制御要素を可変設定する設定手段を更に備えたことを特徴とするキッチン用キャビネット。
【請求項６】
請求項４において、
前記加熱乾燥運転モードは、前記ヒータ及び前記送風機の駆動時間を制御要素として運転モードが特定され、且つ前記換気運転モード及び前記送風乾燥運転モードのそれぞれは、前記送風機の駆動時間と休止時間を制御要素として運転モードが特定されており、これらの制御要素を可変設定する設定手段を更に備えたことを特徴とするキッチン用キャビネット。
【発明の詳細な説明】
【技術分野】
【０００１】
本発明は、水に濡れた台所用品を収納空間内に収納して乾燥させるキッチン用キャビネットに関する。
【背景技術】
【０００２】
まな板や包丁などの調理道具、皿、布巾などの台所用品は、清潔さを保つために水洗いが成される。近年では、このように水洗いされた各台所用品を収納するとともに乾燥させる乾燥機や、乾燥だけでなく水洗いをも行う食器洗い機などが、広く普及されている。そして、キッチン内でこれらの乾燥機や食器洗い機を見栄えよく配置するために、システムキッチンに組み込むためのキャビネットとして構成するものも提供されている。
【０００３】
このような乾燥機や食器洗い機としての機能を備えたキャビネットとして、例えば、特許文献１のような引き出し型の乾燥キャビネットが提案されている。特許文献１に示す引き出し型の乾燥キャビネットに代表されるように、台所用品の乾燥機能を備えたキッチン用キャビネットは、乾燥機能だけでなく送風機能をも有する。これにより、キッチン用キャビネットでは、乾燥機能により台所用品を乾燥させる際、湿気を含んだ空気が収納空間内に充満するが、送風機能をも動作させるため、その湿気を含んだ空気を外部に排出することができる。
【特許文献１】特開２００６−３４１００４号公報
【発明の開示】
【発明が解決しようとする課題】
【０００４】
上述のように、従来の乾燥機能を備えたキッチン用キャビネットは、送風機能も同時に備えることで、乾燥時に生じる湿気を含んだ空気をキャビネットの外部に排出して、収納空間内の湿気を抑制することができる。しかしながら、乾燥時だけの送風では十分に湿気が収納空間内から排出されず、収納空間内に残留した湿気により、菌の繁殖や臭いが発生する恐れがある。
【０００５】
このような問題に鑑みて、本発明は、乾燥動作を行わないときには送風機を間欠的に駆動させることにより、収納空間内の環境を良好な衛生状態に維持できるキッチン用キャビネットを提案することを目的とする。
【課題を解決するための手段】
【０００６】
上記目的を達成するために、本発明のキッチン用キャビネットは、キャビネット本体の収納空間内における空気を循環させる送風機と、該送風機から送風される空気を加熱するヒータと、加熱乾燥スイッチと、前記送風機及び前記ヒータの制御する制御部と、を備え、前記制御部は、該加熱乾燥スイッチの操作による運転開始指令を受付けるまでは、前記送風機のみを間欠的に駆動させる換気運転モードを実行保持し、前記制御部が該加熱乾燥スイッチの操作による運転開始指令を受付けたとき、前記制御部は前記ヒータ及び前記送風機を所定時間連続して駆動させて、前記収納空間内に加熱された空気を循環させる加熱乾燥運転モードを実行した後に、前記換気運転モードに遷移させることを特徴とする。
【０００７】
このように構成することで、前記加熱乾燥スイッチが操作されて前記加熱乾燥運転モードの実行期間以外には、前記換気運転モードを実行保持して、前記送風機の間欠的な駆動を行う。これにより、前記加熱乾燥運転モードの実行期間以外の期間において、前記収納空間内の空気を外部からの空気によって循環させて換気することができ、前記収納空間内を外部の湿度と同等に保持できる。又、間欠的に前記送風機を駆動させるため、前記送風機を駆動させるための消費電力を低減して、省電力化を図ることができる。
【０００８】
そして、このキッチン用キャビネットにおいて、前記制御手段が、電源投入を検出した後に前記換気運転モードを実行保持するものとしてもよい。このとき、電源投入を行うための電源投入スイッチが設けられるものとしてもよいし、施工時に配線が接続された後に外部スイッチを閉じて通電させるものとしてもよい。
【０００９】
又、前記キャビネット本体に対して変位することで前記収納空間を開閉する引き出しを備え、前記制御手段は、電源投入後、前記引き出しにより前記収納空間が開かれ、その後の所定時間内に前記引き出しにより前記収納空間が閉じられたことを検出したときに、前記換気運転モードを実行保持するものとしてもよい。
【００１０】
そして、前記加熱乾燥運転モードは、前記ヒータ及び前記送風機の駆動時間を制御要素として運転モードが特定され、且つ前記換気運転モードは、前記送風機の駆動時間と休止時間を制御要素として運転モードが特定されており、これらの制御要素を可変設定する設定手段を更に備えるものとしてもよい。これにより、前記加熱乾燥運転モード及び前記換気運転モードそれぞれについて、使用者が所望する動作状態に設定することができる。
【００１１】
又、前記制御部は、前記加熱乾燥運転モードの実行を終了した直後、前記換気運転モードの実行に遷移するまでの間に、前記換気運転モードにおける間欠周期毎の前記送風機の駆動時間を長くするか、休止時間を短くするか、の少なくともいずれかの一方で特定される送風乾燥運転モードを実行するものとしてもよい。これにより、前記加熱乾燥運転モードから前記換気運転モードに遷移する間に、前記送風乾燥運転モードによって間欠動作の１周期分における前記送風機による換気時間の割合を大きくして、加熱乾燥後の換気をより確実に行うことができる。
【００１２】
このとき、前記加熱乾燥運転モードは、前記ヒータ及び前記送風機の駆動時間を制御要素として運転モードが特定され、且つ前記換気運転モード及び前記送風乾燥運転モードのそれぞれは、前記送風機の駆動時間と休止時間を制御要素として運転モードが特定されており、これらの制御要素を可変設定する設定手段を更に備えるものとしてもよい。これにより、前記加熱乾燥運転モード及び前記換気運転モードそれぞれについて、使用者が所望する動作状態に設定することができる。
【００１３】
上述のいずれかのキッチン用キャビネットにおいて、前記収納空間が、収納保管する保管庫を構成するものであってもよい。このとき、該保管庫に収納保管される台所用品が、まな板や包丁などの調理道具、皿、布巾などであってもよい。
【００１４】
上述のいずれかのキッチン用キャビネットが、台所用品を洗浄する機能と、洗浄した台所用品を乾燥する機能とを備えた台所用品洗浄機であってもよい。
【発明の効果】
【００１５】
本発明によると、送風機を間欠的に駆動する換気運転モードを実行保持させることで、収納空間内の湿気を除去して収納空間内の環境を良好な衛生状態に保つことができる。そして、この換気運転モードにおいて送風機を間欠的に駆動するのみとすることで、その消費電力を低減し、省電力化を図ることができる。
【発明を実施するための最良の形態】
【００１６】
＜第１の実施形態＞
本発明の第１の実施形態におけるキッチン用キャビネットの構成について、図面を参照して説明する。図１は、本実施形態のキッチン用キャビネットの内部構成を示すブロック図である。図２は、図１の構成のキッチン用キャビネットにおける送風機及びヒータの動作状態を示すタイミングチャートである。
【００１７】
図１に示すように、本実施形態のキッチン用キャビネット１は、まな板や包丁などの調理道具、皿、布巾などの台所用品を収納する収納空間１０と、収納空間１０内へ外気を吸気する吸気口１１と、収納空間１０内の空気を外部に排出する排気口１２とを備える。そして、収納空間１０内には、吸気口１１から外気を吸気するとともに収納空間１０内の空気を循環させる送風機１３と、送風機１３で循環される収納空間１０内の空気を加熱するヒータ１４とが設置される。
【００１８】
又、本実施形態のキッチン用キャビネット１は、収納空間１０内に設置された送風機１３及びヒータ１４の動作を制御する制御部１５として、装置全体の制御を行うＣＰＵ（Central Processing Unit）５０１と、各運転モードに応じた各種プログラムを記録するＲＯＭ（Read Only
Memory）５０２と、ＣＰＵ５０１によるプログラムの実行時のワークエリアとなるＲＡＭ（Random Access Memory）５０３と、送風機１３における不図示のモータの回転数などを制御する送風機用ドライバ５０４と、ヒータ１４を構成する電熱線に与える電流量などを制御するヒータ用ドライバ５０５と、各ブロック間での信号の転送を行うためのバス回線５０６とを備える。
【００１９】
更に、このキッチン用キャビネット１は、その操作部１６として、加熱乾燥の指令を与えるための加熱乾燥スイッチＳＷ１と、制御部１５に対して電源投入を行うための電源投入スイッチＳＷ２とを備える。このとき、加熱乾燥スイッチＳＷ１が操作されると、その操作結果に応じた指令信号を制御部１５内のＣＰＵ５０１に対して送信する。又、電源投入スイッチＳＷ２が、不図示の電源回路などの電源電位の供給元と制御部１５との電気的な接離を行うために設置されるなどすることで、電源投入スイッチＳＷ２の操作により、制御部１５への電源投入の指示が可能な構成とされる。
【００２０】
このように構成されるキッチン用キャビネット１の基本動作について簡単に説明する。キッチン用キャビネット１は、電源投入スイッチＳＷ２がＯＮとされると、不図示の電源回路により商用電源による交流電圧が直流電圧に変換されることで、電源投入スイッチＳＷ２を通じて直流電源が制御部１５に供給される。これにより、制御部１５を構成するＣＰＵ５０１が初期化動作を行い、送風機用ドライバ５０４及びヒータ用ドライバ５０５に対して、バス回線５０６を通じて初期化設定の指示を行う。このとき、ＣＰＵ５０１は、ＲＯＭ５０２に記憶されたＣＰＵ５０１自身の初期化が終了した後、ＲＯＭ５０２による初期化用プログラムを参照することで、送風機用ドライバ５０４及びヒータ用ドライバ５０５の初期化動作を指示する。
【００２１】
ＣＰＵ５０１は、この初期化動作を開始することで、電源投入スイッチＳＷ２による電源投入が成されたことを確認し、送風機用ドライバ５０４及びヒータ用ドライバ５０５の初期化動作を終了すると、ＲＯＭ５０２内に記憶した換気運転モードの実行プログラムを読み出す。よって、ＣＰＵ５０１は、ＲＯＭ５０２内に記憶した換気運転モードの実行プログラムを実行し、バス回線５０６を通じて送風機用ドライバ５０４に制御信号を与え、後述するように送風機１３を間欠的に駆動させる。
【００２２】
このように制御部１５が動作するため、換気運転モードでは、ヒータ用ドライバ５０５により制御されるヒータ１４には電力が供給されずにヒータ１４が停止されるとともに、送風機１３による収納空間１０の換気が間欠的に行われる。即ち、周期的に駆動する送風機１３によって、吸気口１１から外気の吸気が行われるとともに、吸気された外気が収納空間１０内の空気を循環することで、収納空間１０内の空気が排気口１２より排気されて、収納空間１０の換気が成される。
【００２３】
又、キッチン用キャビネット１は、加熱乾燥スイッチＳＷ１を操作されることで、この加熱乾燥スイッチＳＷ１より運転開始指令がＣＰＵ５０１に与えられる。これにより、ＣＰＵ５０１は、この加熱乾燥スイッチＳＷ１による運転開始指令を受け付けると、ＲＯＭ５０２内に記憶した加熱乾燥運転モードの実行プログラムを読み出す。よって、ＣＰＵ５０１は、ＲＯＭ５０２内に記憶した加熱乾燥運転モードの実行プログラムを実行し、バス回線５０６を通じて送風機用ドライバ５０４及びヒータ用ドライバ５０５のそれぞれに制御信号を与え、後述するように送風機１３及びヒータ１４のそれぞれを連続的に駆動させる。
【００２４】
このように制御部１５が動作するため、加熱乾燥運転モードでは、設定された所定時間の間、ヒータ用ドライバ５０５により制御されるヒータ１４には電力が連続して供給されるとともに、送風機１３による収納空間１０の換気が連続して行われる。即ち、設定された所定時間の間、連続的に駆動する送風機１３によって、吸気口１１から外気の吸気が連続的に行われる。
【００２５】
そして、吸気された外気はヒータ１４によって加熱された後に、収納空間１０内を循環することで、収納空間１０内に収納された水に濡れた台所用品に加熱された空気を接触させて、台所用品を加熱乾燥することができる。このようにヒータ１４による加熱空気は、台所用品を加熱乾燥させることで湿気を含んだ空気となるが、送風機１３の駆動による収納空間１０内の循環経路に基づいて排気口１２より排気される。これにより、加熱乾燥を行った後の湿気を含んだ空気を、収納空間１０外部に排出して、加熱乾燥を行っている収納空間１０内の湿気を低減することができる。
【００２６】
このキッチン用キャビネット１の電源投入後の各運転モードの詳細について、図２のタイミングチャートを参照して説明する。図２のタイミングチャートに示すように、キッチン用キャビネットの施工が終了し、施工者又は使用者によって電源投入スイッチＳＷ２が操作され、制御部１５などに電源供給が開始されると、上述したように、制御部１５において初期化動作が行われる。
【００２７】
その後、制御部１５での初期化動作が終了すると、制御部１５は、換気運転モードに遷移するために、ＣＰＵ５０１が、ＲＯＭ５０２内の換気運転モード用の実行プログラムを読み出して実行する。このとき、ＲＡＭ５０３がＣＰＵ５０１の演算処理用のワークエリアとして利用される。又、ＲＡＭ５０３には、換気運転モードにおける送風機１３を間欠的に動作させるための動作時間ｔａと停止時間ｔｂとが記憶される。
【００２８】
よって、キッチン用キャビネット１が換気運転モードに遷移すると、ＲＡＭ５０３に記憶した動作時間ｔａ及び停止時間ｔｂに基づいて、換気運転モード用の実行プログラムが実行されることとなる。これにより、時間ｔａ＋ｔｂによる周期毎に、時間ｔａの間だけ送風機１３が動作し、換気運転モード時における間欠的な換気が実行される。この換気運転モードは、上述のように電源投入が成された後、加熱乾燥スイッチＳＷ１が操作されるまで、実行保持される。尚、図２のタイミングチャートでは、電源投入スイッチＳＷ２による電源投入直後は、まず、時間ｔｂによる送風機１３の停止期間から始まる。
【００２９】
即ち、加熱乾燥スイッチＳＷ１が操作されるまでの換気運転モード時において、その周期毎に、まず、ＣＰＵ５０１が送風機用ドライバ５０４に制御信号を与えて、送風機１３を動作させる。そして、この送風機１３が動作を開始してから時間ｔａの経過をＣＰＵ５０１が確認したとき、ＣＰＵ５０１が送風機用ドライバ５０４に制御信号を与えて、送風機１３を停止させる。その後、送風機１３が動作を開始してから時間ｔｂの経過をＣＰＵ５０１が確認すると、再び、ＣＰＵ５０１が送風機用ドライバ５０４に制御信号を与えて、送風機１３を動作させる。
【００３０】
この換気運転モードで動作しているキッチン用キャビネット１に対して、加熱乾燥スイッチＳＷ１が使用者によって操作されると、加熱操作スイッチＳＷ１からの運転開始指令を制御部１５内のＣＰＵ５０１で受け付ける。これにより、換気運転モードから加熱乾燥運転モードに動作を遷移するため、ＣＰＵ５０１は、上述したように、ＲＯＭ５０２内の加熱乾燥運転モードの実行プログラムを実行する。このとき、換気運転モードの実行時同様、ＲＡＭ５０３がＣＰＵ５０１の演算処理用のワークエリアとして利用される。又、ＲＡＭ５０３には、加熱乾燥運転モードにおける送風機１３及びヒータ１４を連続的に動作させるための動作時間ｔｃが記憶される。
【００３１】
よって、キッチン用キャビネット１が加熱乾燥運転モードに遷移すると、ＲＡＭ５０３に記憶した動作時間ｔｃに基づいて、加熱乾燥運転モード用の実行プログラムが実行されることとなる。これにより、時間ｔｃの間、送風機１３とヒータ１４とを連続的に動作させることで、加熱乾燥運転モード時における加熱空気による台所用品の乾燥が実行される。この加熱乾燥運転モードでは、まず、ＣＰＵ５０１が送風機用ドライバ５０４及びヒータ用ドライバ５０５に制御信号を与えて、送風機１３及びヒータ１４を動作させる。
【００３２】
加熱操作スイッチＳＷ１の操作から時間ｔｃが経過したことをＣＰＵ５０１が確認すると、送風機用ドライバ５０４及びヒータ用ドライバ５０５に制御信号を送信し、加熱乾燥運転モードの終了を送風機用ドライバ５０４及びヒータ用ドライバ５０５に通知する。これにより、再び、キッチン用キャビネット１は、加熱乾燥運転モードから換気運転モードに遷移する。この換気運転モードへの遷移直後は、電源投入直後と同様、まず、時間ｔｂによる送風機１３の停止期間から始まる。そして、次に加熱操作スイッチＳＷ１が操作されるまで、送風機１３の間欠的な駆動が繰り返される。
【００３３】
このように、本実施形態では、加熱乾燥運転モードの駆動時以外においては、換気運転モードにより送風機１３のみを間欠的に動作させることで、収納空間１０内の換気を行うことで、収納空間１０内を外部の環境と同等として、衛生的な環境に保持させることができる。又、送風機１３のみを間欠的に動作させることにより、換気運転モードにおける消費電力を抑制し、省電力化を図ることができる。
【００３４】
尚、本実施形態では、電源投入を行うための電源投入スイッチＳＷ２が設置されるものとしたが、電源投入スイッチＳＷ２がなく、施工時に電気配線を行った後に外部スイッチなどによって商用電源が供給されることで電源投入がなされるものとしてもよい。このとき、制御部１５内のＣＰＵ５０１で電源投入を確認したときに、制御部１５における初期設定がなされた後、上述した換気運転モードに遷移する。
【００３５】
＜第２の実施形態＞
本発明の第２の実施形態におけるキッチン用キャビネットの構成について、図面を参照して説明する。図３は、本実施形態のキッチン用キャビネットの内部構成を示すブロック図である。尚、図３に示す構成において、図１に示す構成と同一の目的で使用する部分については、同一の符号を付してその詳細な説明は省略する。
【００３６】
図３に示すように、本実施形態のキッチン用キャビネット２は、第１の実施形態のキッチン用キャビネット１（図１参照）に、キャビネット本体における収納空間１０の開閉を検知する開閉検知用センサ１７を更に追加した構成となる。この開閉検知用センサ１７は、収納空間１０を開閉するための扉や引き出しの状態を検知することで、収納空間１０の開閉を検知するもので構成される。
【００３７】
即ち、開閉検知用センサ１７を、例えば、扉や引き出しの位置を検出する変位センサなどにより構成することで収納空間１０の開閉を検知するものとしてもよいし、扉や引き出しの接触・非接触によって収納空間１０の開閉を検知するリミットスイッチなどによって構成するものとしてもよい。その他の構成については、第１の実施形態におけるキッチン用キャビネット１の構成と同様であるので、その詳細については省略する。
【００３８】
本実施形態のキッチン用キャビネット２は、第１の実施形態のキッチン用キャビネット１と異なり、施工後に電源投入スイッチＳＷ２による電源投入が行われた後に、初めて収納空間１０が開閉されたことを制御部１４が認知したときに、換気運転モードによる運転を開始する。その後、換気運転モードによる運転が開始されると、電源投入スイッチＳＷ２の操作により電源供給が停止されるまで、第１の実施形態と同様、送風機１３を間欠的に動作させる換気運転モードが実行保持される。
【００３９】
即ち、施工後に電源投入スイッチＳＷ２による電源投入が行われた後に、キャビネット本体に取り付けられた扉が開かれる、或いは、キャビネット本体に収納された引き出しが引き出されることによって、収納空間１０が開放されると、開放されたことを示す開閉検知用センサ１７からの開信号が制御部１５のＣＰＵ５０１に入力される。その後、扉が閉じられる、或いは、引き出しがキャビネット本体内に収納されることによって、収納空間１０が閉じた状態となると、閉じられたことを示す開閉検知用センサ１７からの閉信号が制御部１５のＣＰＵ５０１に入力される。
【００４０】
これにより、電源投入後に初めて収納空間１０が開いた後に閉じたことをＣＰＵ５０１が検知することができる。そして、この電源投入後における最初の収納空間１０の開閉をトリガとして、送風機１３を間欠的に動作させる換気運転モードを開始し、この換気運転モードを実行保持する。このように換気運転モードの実行保持がなされているとき、加熱乾燥スイッチＳＷ１が使用者によって操作されると、第１の実施形態と同様、一定期間の間連続して送風機１３及びヒータ１４を駆動させる加熱乾燥運転モードに遷移する。この加熱乾燥運転モードが終了すると、ヒータ１４を停止させて、送風機１３のみを間欠的に動作させる換気運転モードに再び遷移する。
【００４１】
このように、本実施形態のキッチン用キャビネット２は、電源投入後に初めて収納空間１０の開閉がなされたことをトリガとして、換気運転モードを開始させることができる。これにより、施工者によりキッチン用キャビネット２が施工された後、使用者が初めてキッチン用キャビネット２を使用するために収納空間１０を開閉したときまで、換気運転モードを行わず、無駄な電力消費を抑えることができる。
【００４２】
尚、本実施形態のキッチン用キャビネット２において、収納空間１０を開いている時間の長さによって、換気運転モードの開始及び停止を決定することができるものとしてもよい。即ち、例えば、換気運転モードが開始しているときに、収納空間１０を開いている時間を設定範囲の時間内としたときに、その換気運転モードを停止させるようにしてもよいし、換気運転モードが停止しているときに、収納空間１０を開いている時間を設定範囲の時間内としたときに、その換気運転モードを開始させるようにしてもよい。更に、この収納空間１０の開時間だけではなく、収納空間１０の開閉動作によっても、換気運転モードの開始又は停止が設定されるものとしてもよい。
【００４３】
又、本実施形態においても、第１の実施形態と同様、電源投入を行うための電源投入スイッチＳＷ２が設置されるものとしたが、電源投入スイッチＳＷ２がなく、施工時に電気配線を行った後に外部スイッチなどによって商用電源が供給されることで電源投入がなされるものとしてもよい。このとき、制御部１５内のＣＰＵ５０１で電源投入を確認したときに、制御部１５における初期設定がなされた後、上述のように開閉検出センサからの信号を確認することで上述した換気運転モードに遷移する。
【００４４】
＜第３の実施形態＞
本発明の第３の実施形態におけるキッチン用キャビネットの構成について、図面を参照して説明する。図４は、本実施形態のキッチン用キャビネットにおける送風機及びヒータの動作状態を示すタイミングチャートである。尚、本実施形態のキッチン用キャビネットを、第１の実施形態と同様、図１のブロック図に示す構成として、以下に説明する。
【００４５】
本実施形態のキッチン用キャビネット１は、第１の実施形態と異なり、加熱乾燥運転モードの実行を終了すると、送風機１３だけを動作させて乾燥させる送風乾燥運転モードに一時遷移した後、換気運転モードに遷移する。即ち、第１の実施形態では、加熱乾燥運転モードの実行を終了すると、直接、換気運転モードに遷移していたが、本実施形態においては、加熱乾燥運転モードの終了と換気運転モードの開始との間に、送風乾燥運転モードが実行される。その他の構成及び動作については、第１の実施形態と同様であるので、以下では、この送風乾燥運転モードを中心に、図４のタイミングチャートを参照して、本実施形態におけるキッチン用キャビネット１の動作を説明する。
【００４６】
図４のタイミングチャートに示すように、本実施形態においても、第１の実施形態と同様、電源投入スイッチＳＷ２が操作され、制御部１５などに電源供給が開始されると、制御部１５での初期化動作が行われた後、制御部１５は、換気運転モードに遷移する。これにより、時間ｔａ＋ｔｂによる周期毎に、時間ｔａの間だけ送風機１３が動作し、換気運転モード時における間欠的な換気が実行される。
【００４７】
この換気運転モードの実行が保持されている状態で、第１の実施形態と同様、加熱乾燥スイッチＳＷ１が操作されると、ＣＰＵ５０１が加熱乾燥スイッチＳＷ１からの運転開始指令を受け付け、換気運転モードから加熱乾燥運転モードに動作を遷移する。時間ｔｃの間、送風機１３とヒータ１４とを連続的に動作させることで、加熱乾燥運転モード時における加熱空気による台所用品の乾燥が実行される。
【００４８】
そして、加熱操作スイッチＳＷ１の操作から時間ｔｃが経過したことをＣＰＵ５０１が確認すると、送風機用ドライバ５０４及びヒータ用ドライバ５０５に制御信号を送信し、加熱乾燥運転モードの終了を送風機用ドライバ５０４及びヒータ用ドライバ５０５に通知する。この加熱乾燥運転モードが終了すると、ＣＰＵ５０１は、加熱乾燥運転モードから送風乾燥運転モードに動作を遷移するために、ＲＯＭ５０２に記憶された送風乾燥運転モード用の実行プログラムを読み出して、実行する。
【００４９】
このとき、換気運転モード及び加熱乾燥運転モードを実行するときと同様、ＲＡＭ５０３がＣＰＵ５０１の演算処理用のワークエリアとして利用される。又、このＲＡＭ５０３には、送風乾燥運転モードにおける送風機１３を間欠的に動作させるための動作時間ｔｄ及び停止時間ｔｅと、送風機１３を間欠的に動作させる周期の回数Ｋ（図４の例ではＫ＝２）が記憶される。尚、周期の回数Ｋの代わりに、送風乾燥運転モードを実行する時間が記憶されるものとしてもよい。
【００５０】
よって、キッチン用キャビネット１が加熱乾燥運転モードから送風乾燥運転モードに遷移すると、ＲＡＭ５０３に記憶した動作時間ｔｄ及び停止時間ｔｅと周期回数Ｋとに基づいて、送風乾燥運転モード用の実行プログラムが実行されることとなる。これにより、時間ｔｄ＋ｔｅによる周期毎に、時間ｔｄの間だけ送風機１３が動作し、送風乾燥運転モード時における間欠的な換気による乾燥が実行される。そして、この送風乾燥運転モードは、間欠動作させる周期回数がＫ回（図４の例では２回）となったことをＣＰＵ５０１が確認したときに終了し、時間ｔａ＋ｔｂによる周期毎に、時間ｔａの間だけ送風機１３が動作する換気運転モードに遷移する。
【００５１】
この送風乾燥運転モードでは、送風機１３を間欠的に動作させる各周期において、送風機１３の動作時間ｔｄを長くすることで、収納空間１０内の空気の循環期間を長くして、ヒータ１４の停止後に収納空間１０内に残留する熱と湿気とを含んだ空気を排気口１２より積極的に排出することができる。これにより、第１の実施形態のように加熱乾燥運転モードから直接換気運転モードに遷移する場合と比べて、加熱乾燥動作後の収納空間１０内の環境を外部の環境に近い状態にする時間を短縮することができ、その衛生状態を良好なものに保たせることができる。
【００５２】
尚、本実施形態において、第２の実施形態のキッチン用キャビネット２（図３参照）と同様、開閉検知用センサ１７を設けるとともに、電源投入後に収納空間１０の開閉が最初に検知されたことをトリガとして、換気運転モードを開始するものとしてもよい。又、電源投入スイッチＳＷ２がなく、施工時に電気配線を行った後に外部スイッチなどによって商用電源が供給されることで電源投入がなされるものとしてもよい。更に、送風乾燥運転モードにおいて、送風機１３を間欠的に駆動するものとしたが、送風機１３のみを連続的に駆動するものとしてもよい。
【００５３】
＜第４の実施形態＞
本発明の第４の実施形態におけるキッチン用キャビネットの構成について、図面を参照して説明する。図５は、本実施形態のキッチン用キャビネットの内部構成を示すブロック図である。尚、図５に示す構成において、図１に示す構成と同一の目的で使用する部分については、同一の符号を付してその詳細な説明は省略する。
【００５４】
図５に示すように、本実施形態のキッチン用キャビネット３は、第１又は第３の実施形態のキッチン用キャビネット１（図１参照）に、操作部１６の一部として、上述の換気運転モード及び加熱乾燥運転モードにおける各制御要素を設定するための複数のキーやボタンで構成される設定用パネル部１８を更に追加した構成となる。
【００５５】
この設定用パネル部１８は、キー又はボタンのみで構成されるものであってもよい。更に、設定用パネル部１８は、設定内容を表示させる表示部をキー又はボタンと別体で構成されるものとしてもよいし、この表示部と一体となったタッチパネルによって構成されるものとしてもよい。その他の構成については、第１又は第３の実施形態におけるキッチン用キャビネット１の構成と同様であるので、その詳細については省略する。
【００５６】
このように構成されるとき、例えば、第１の実施形態と同様、キッチン用キャビネット１が換気運転モードと加熱乾燥運転モードとを切り換えて実行するものである場合、設定用パネル部１８を使用者が操作することで、換気運転モードにおける送風機１３の動作時間ｔａと停止時間ｔｂと、加熱乾燥運転モードにおける送風機１３及びヒータ１４の動作時間ｔｃとを、所望の時間に設定することができる。
【００５７】
これにより、例えば、キッチン用キャビネット３が湿気の多い環境に設置している場合は、換気運転モードにおける送風機１３の動作時間ｔａを長くする、又は、送風機１３の停止時間ｔｂを短くするなどにより、換気を重点的に行うように設定することができる。又、このような設定以外にも、例えば、加熱乾燥運転モードにおける送風機１３及びヒータ１４の動作時間ｔｃを短くする、又は、換気運転モードにおける送風機１３の動作時間ｔａを短くする、又は、送風機１３の停止時間ｔｂを長くするなどにより、消費電力を抑制した省電力化を重点的に行うように設定することができる。
【００５８】
更に、第３の実施形態と同様、キッチン用キャビネット３が換気運転モードと加熱乾燥運転モードと送風乾燥運転モードとを切り換えて実行するものである場合、設定用パネル部１８を使用者が操作することで、上述の動作時間ｔａ,ｔｃと停止時間ｔｂとに加えて、送風乾燥運転モードにおける送風機１３の動作時間ｔｄ及び停止時間ｔｅや周期回数Ｋ（送風乾燥運転モードの運転時間としてもよい）を、所望の時間や回数に設定することができる。これにより、更に、使用者の使用態様やキッチン用キャビネット３の施工される環境に応じて最適なパターンで、キッチン用キャビネット３を動作させることができる。
【００５９】
尚、本実施形態において、各運転モードの動作時間及び停止時間や周期回数などを、設定用パネル部１８によって設定可能な構成として説明したが、各運転モードの動作時間及び停止時間や周期回数の異なる複数種類のパターンを予め記憶しておき、設定用パネル部１８を利用して、記憶された複数種類のパターンが選択されることで、各運転モードの動作時間及び停止時間や周期回数などが切り換えられるものとしてもよい。このとき、ＲＯＭ５０２に各運転モードの動作時間及び停止時間や周期回数の異なる複数種類のパターンを記憶し、そして選択されたパターンに基づいて、ＲＡＭ５０３に記憶された各運転モードの動作時間及び停止時間や周期回数が変更されるものとしてもよい。
【００６０】
又、本実施形態においても、第２の実施形態のキッチン用キャビネット２（図３参照）と同様、開閉検知用センサ１７を設けるとともに、電源投入後に収納空間１０の開閉が最初に検知されたことをトリガとして、換気運転モードを開始するものとしてもよい。更に、電源投入スイッチＳＷ２がなく、施工時に電気配線を行った後に外部スイッチなどによって商用電源が供給されることで電源投入がなされるものとしてもよい。
【００６１】
尚、上述の各実施形態について、各運転モードを実現するためにソフトウェアとなる実行プログラムを備える構成によって説明したが、これらのソフトウェアに代えて、各運転モードを実現するためのハードウェアによって構成するものとしてもよい。即ち、制御部１５内において、各運転モードにおける送風機１３及びヒータ１４それぞれの動作期間及び停止期間を計測するためのカウンタ回路を設置し、各カウンタ回路が各運転モード時に動作可能とするための論理回路を構成することで、上述の各実施形態で説明した動作を実現することができる。
【００６２】
＜キッチン用キャビネットの適用例＞
上述のよう第１〜第４の実施形態のいずれかにおけるキッチン用キャビネットを、台所用品の乾燥と収納とを目的に使用される台所用品乾燥機に適用したときの適用例について、図面を参照して以下に説明する。図６は、本適用例における台所用品乾燥機の構成を示す外観斜視図であり、図７は、図６の台所用品乾燥機が組み込まれたシステムキッチンへの使用例を示す外観図である。
【００６３】
本適用例における台所用品乾燥機１５０は、図６に示すように、前面が開放した収納空間１０（図７参照）を備えるキャビネット本体１００と、このキャビネット本体１に対して前後にスライドすることで収納空間１０の開閉を行う引き出し部１０１とを備える。即ち、キャビネット本体１に対して前側に引き出した引き出し部１０１に台所用品を載置した後、この引き出し部１０１をキャビネット本体１に収容することで、キャビネット本体１の収納空間１０によって構成される保管庫に、台所用品を収納保管することができる。
【００６４】
引き出し部１０１は、キャビネット本体１００の前面における開口面を覆うための前板１０２を備える。この前板１０２の上側中央には、引き出し部１０１をスライドさせるために使用者が把持するライン型の取手部１０３が、前板１０２の上側に突出するように設けられる。又、キャビネット本体１の開口面となる前面には、取手部１０３と同じ高さ位置において、この取手部１０３を挟むように吸気口１１を備えた吸気口部材１０４と排気口１２を備えた排気口部材１０５が設けられる。
【００６５】
そして、キャビネット本体１００の高さ方向における、取手部１０３と吸気口部材１０４と排気口部材１０５のそれぞれの幅を等しいものとし、同じ高さ位置で並べることで、図６に示すように、取手部１０３と吸気口部材１０４と排気口部材１０５とを同じ幅のライン形状とすることができ、台所用品乾燥機１５０の意匠性を高めることができる。又、吸気口部材１０４における吸気口１１を設けられる前面に、操作部１５や表示部によって構成される操作パネル１０６が設置される。
【００６６】
この吸気口部材１０４は、キャビネット本体１００の奥に向かって延びたダクトを備えるとともに、送風機１３（図１参照）やヒータ１４（図１参照）をもその構成の一部として備える。これにより、吸気口部材１０４は、送風機１３を動作させることで、吸気口１１より外気を吸気してキャビネット本体１００の保管庫内部に送風させることができる。このとき、加熱乾燥時においては、ヒータ１４を動作させて加熱した空気が、吸気口部材１０４に設けたダクトよりキャビネット本体１００の保管庫内部に送風される。そして、キャビネット本体１００内部の保管庫を循環した空気は、排気口部材１０５に設けられたキャビネット本体１００側の開口部分から排気口１２に流れることで、台所用品乾燥機１５０の外部に排出される。
【００６７】
このように構成される台所用品乾燥機１５０を組み込んだシステムキッチンの構成例を、図７に示す。図７のシステムキッチンは、図６に示す構成の台所用品乾燥機１５０以外に、その前面にライン型の取手部２０１を有する引き出しを備えたキャビネット２００を備え、台所用品乾燥機１５０とキャビネット２００とを水平に配置することでベースキャビネット２０２を構成する。そして、このベースキャビネット２０２の上部には、ガスコンロやＩＨコンロなどの加熱調理部２０３や、湯水混合型の水栓２０５を備えるシンク部２０４が設置され、システムキッチンが構成される。
【００６８】
このとき、キャビネット２００に設けられるライン型の取手部２０１の幅を、台所用品乾燥機１５０の取手部１０３、吸気口部材１０４、及び排気口部材１０５と等しい幅とするとともに、キャビネット２００の取手部２０１と、台所用品乾燥機１５０の取手部１０３、吸気口部材１０４、及び排気口部材１０５とを同じ高さ位置に並べる。これにより、システムキッチンの統一感を向上することができ、その意匠性を高めることができる。
【産業上の利用可能性】
【００６９】
本発明のキッチン用キャビネットは、その適用例として、上記のような台所用品乾燥機を適用したときの例を挙げて説明したが、キャビネット本体に対して前後に引き出しが変位することで収納空間を開閉する台所用品乾燥機に限らず、例えば、キャビネット本体に対して昇降式となる引き出しにより収納空間の開閉を行う台所用品乾燥機についても適用可能である。又、収納空間の開閉を引き出しにより成されるものではなく、扉により収納空間の開閉を行うことができる台所用品乾燥機についても適用可能である。更に、本発明のキッチン用キャビネットは、これらの台所用品乾燥機に限らず、その収納空間内に収納された台所用品の洗浄を行った後に台所用品の乾燥を行う台所用品洗浄機に対しても適用可能である。
【図面の簡単な説明】
【００７０】
【図１】は、第１の実施形態のキッチン用キャビネットの内部構成を示すブロック図である。
【図２】は、図１の構成のキッチン用キャビネットにおける送風機及びヒータの動作状態を示すタイミングチャートである。
【図３】は、第２の実施形態のキッチン用キャビネットの内部構成を示すブロック図である。
【図４】は、第３の実施形態の構成のキッチン用キャビネットにおける送風機及びヒータの動作状態を示すタイミングチャートである。
【図５】は、第４の実施形態のキッチン用キャビネットの内部構成を示すブロック図である。
【図６】は、本発明のキッチン用キャビネットを適用した台所用品乾燥機の構成を示す外観斜視図である。
【図７】は、図６の台所用品乾燥機を組み付けたシステムキッチンの構成を示す概略外観図である。
【符号の説明】
【００７１】
１〜３                  キッチン用キャビネット
１０                    収納空間
１１                    吸気口
１２                    排気口
１３                    送風機
１４                    ヒータ
１５                    制御部
１６                    操作部
１７                    開閉検知用センサ
１８                    設定用パネル部
５０１                  ＣＰＵ
５０２                  ＲＯＭ
５０３                  ＲＡＭ
５０４                  送風機用ドライバ
５０５                  ヒータ用ドライバ
５０６                  バス回線
【図１】
0004940181.tif 000002
【図２】
0004940181.tif 000003
【図３】
0004940181.tif 000004
【図４】
0004940181.tif 000005
【図５】
0004940181.tif 000006
【図６】
0004940181.tif 000007
【図７】
0004940181.tif 000008